(57)【要約】【課題】輪郭の明確な配光パターンが得られ、グレアの防止にも有効で、必要な照明範囲内の光照射効率を向上させた照明装置１１を提供する。【解決手段】反射体１６の光軸ｘ方向の端部で、光軸ｘ方向に発光ダイオード１３の光を無反射で出射させる無反射光Ｌ１を形成する。反射体１６の反射面１８で、発光ダイオード１３の光を反射させて光軸ｘ方向に出射させる反射光Ｌ２を形成する。光軸ｘに対する無反射光Ｌ１の配光パターンＰ１の広がり角度α１と反射光Ｌ２の配光パターンＰ２の広がり角度α２とを略同一にする。広がり角度α１，α２を略同一にしたことで、輪郭の明確な配光パターンが得られ、グレアの防止にも有効で、必要な照明範囲内における光照射効率が向上する。【選択図】        図１
2004253478.tif 000002
【特許請求の範囲】
【請求項１】
発光素子の光を光軸方向に無反射で出射させる無反射光と発光素子の光を反射させて光軸方向に出射させる反射光とを形成し、光軸に対する無反射光と反射光との配光パターンの広がり角度を略同一にしたことを特徴とする制光体。
【請求項２】
発光素子の周囲に対向し発光素子の光を光軸に平行な方向から光軸を交差して無反射光の広がり方向と略同一方向に向かう方向の間の範囲に反射させる反射面を備えたことを特徴とする請求項１記載の制光体。
【請求項３】
発光素子の周囲に対向し発光素子の光が入射する入射面、入射面から入射した光を全反射させる反射面、および反射面で全反射した反射光を光軸方向に出射させる出射面を有する環状のプリズム部を備え、出射面の中央に発光素子からの無反射光を通過させて光軸方向に出射させる開口部が設けられたことを特徴とする請求項１記載の制光体。
【請求項４】
発光素子の周囲に対向し発光素子の光が入射する入射面、入射面から入射した光を全反射させる反射面、および反射面で全反射した反射光を光軸方向に出射させる出射面を有する環状のプリズム部と；
プリズム部の出射面の内側に連続した面状に設けられ、発光素子からの無反射光を透過させて光軸方向に出射させる透過部と；
を備えたことを特徴とする請求項１記載の制光体。
【請求項５】
請求項１ないし４いずれか一記載の制光体が光軸を中心とする四角形状であるとともに無反射光および反射光の配光パターンが四角形状であって、複数の制光体を升目状に配列して設けたことを特徴とする制光装置。
【請求項６】
請求項１ないし４いずれか一記載の制光体と；
制光体に配置した発光素子と；
を具備したことを特徴とする照明装置。
【請求項７】
請求項５記載の制光装置と；
制光装置の各制光体に配置した複数の発光素子と；
を具備していることを特徴とする照明装置。
【発明の詳細な説明】
【０００１】
【発明の属する技術分野】
本発明は、発光素子として例えば固体発光素子を光源とする場合に適した制光体、制光装置および照明装置に関する。
【０００２】
【従来の技術】
従来、発光素子として例えば固体発光素子である発光ダイオードを光源とする照明装置では、基板の一面に複数の発光ダイオードが配列され、これら発光ダイオードの光を反射させる反射体が用いられている。反射体には発光ダイオードがそれぞれ配置される複数の凹状の反射面が形成され、各反射面は反射体の表面側に拡開開口されている。そして、発光ダイオードの点灯により、反射面の開口を通じて直接出射する直接光と反射面で反射して出射する反射光とを利用して照明している（例えば、特許文献１参照）。
【０００３】
しかし、この照明装置では、発光ダイオードの直接光と反射光とを利用しているが、これら直接光および反射光から特定の配光パターンを得るような配光制御について考慮がなされておらず、必要な照明範囲内に対する光照射効率が十分でなかったりグレアの防止が十分でない。
【０００４】
また、発光ダイオードをモールド樹脂で囲繞し、モールド樹脂の前面に形成したレンズ部から出射する発光ダイオードの光と、モールド樹脂の背面に形成した光反射部で反射してモールド樹脂の前面から出射する反射光とを利用し、これら光をそれぞれ光軸方向と平行な方向に出射させ、光軸上を明るくして直線的な指向性を持たせることにより、主として光学センサの発光器に適した発光光源がある（例えば、特許文献２参照）。
【０００５】
しかし、この発光光源では、光軸上を明るくするために直線的な指向性を持たせているため、主として光学センサの発光器としては適するが、照明の配光に関する考慮がなされておらず、照明装置には適さない。
【０００６】
【特許文献１】
特開２００１−３３８５０５号公報（第３頁、図１ないし図３）
【０００７】
【特許文献２】
特開２００２−９４１２９号公報（第８頁、図３）
【０００８】
【発明が解決しようとする課題】
上述したように、発光ダイオードを光源とする照明装置では、発光ダイオードの直接光と反射光とを利用しているが、これら直接光および反射光から特定の配光パターンを得るような配光制御について考慮がなされておらず、必要な照明範囲内に対する光照射効率が十分でなかったりグレアの防止が十分でない問題がある。
【０００９】
本発明は、このような点に鑑みなされたもので、輪郭の明確な配光パターンが得られ、グレアの防止にも有効で、必要な照明範囲内における光照射効率を向上できる制光体、制光装置および照明装置を提供することを目的とする。
【００１０】
【課題を解決するための手段】
請求項１記載の制光体は、発光素子の光を光軸方向に無反射で出射させる無反射光と発光素子の光を反射させて光軸方向に出射させる反射光とを形成し、光軸に対する無反射光と反射光との配光パターンの広がり角度を略同一にしたものである。
【００１１】
そして、この構成では、発光素子の光を光軸方向に無反射で出射させる無反射光の配光パターンの広がり角度と、発光素子の光を反射させて光軸方向に出射させる反射光の配光パターンの広がり角度とを略同一にしたため、輪郭の明確な配光パターンが得られ、グレアの防止にも有効で、必要な照明範囲内における光照射効率が向上する。
【００１２】
請求項２記載の制光体は、請求項１記載の制光体において、発光素子の周囲に対向し発光素子の光を光軸に平行な方向から光軸を交差して無反射光の広がり方向と略同一方向に向かう方向の間の範囲に反射させる反射面を備えたものである。
【００１３】
そして、この構成では、発光素子の周囲に対向する反射面で、発光素子の光を光軸に平行な方向から光軸を交差して無反射光の広がり方向と略同一方向に向かう方向の間の範囲に反射させるため、反射面の小形化が可能になる。
【００１４】
請求項３記載の制光体は、請求項１記載の制光体において、発光素子の周囲に対向し発光素子の光が入射する入射面、入射面から入射した光を全反射させる反射面、および反射面で全反射した反射光を光軸方向に出射させる出射面を有する環状のプリズム部を備え、出射面の中央に発光素子からの無反射光を通過させて光軸方向に出射させる開口部が設けられたものである。
【００１５】
そして、この構成では、発光素子の光が入射する入射面、入射面から入射した光を全反射させる反射面、および反射面で全反射した反射光を光軸方向に出射させる出射面を有する環状のプリズム部を備えたため、例えばアルミ蒸着するなどの反射面形成工程が必要なく、製造が容易になる。
【００１６】
請求項４記載の制光体は、請求項１記載の制光体において、発光素子の周囲に対向し発光素子の光が入射する入射面、入射面から入射した光を全反射させる反射面、および反射面で全反射した反射光を光軸方向に出射させる出射面を有する環状のプリズム部と；プリズム部の出射面の内側に連続した面状に設けられ、発光素子からの無反射光を透過させて光軸方向に出射させる透過部と；を備えたものである。
【００１７】
そして、この構成では、発光素子の光が入射する入射面、入射面から入射した光を全反射させる反射面、および反射面で全反射した反射光を光軸方向に出射させる出射面を有するプリズム部を備えたため、例えばアルミ蒸着するなどの反射面形成工程が必要なく、製造が容易になり、さらに、プリズム部の出射面の内側に連続した面状に、発光素子からの無反射光を透過させて光軸方向に出射させる透過部を設けたため、プリズム部の出射面および透過部の清掃が容易になり、保守性が向上する。
【００１８】
請求項５記載の制光装置は、請求項１ないし４いずれか一記載の制光体が光軸を中心とする四角形状であるとともに無反射光および反射光の配光パターンが四角形状であって、複数の制光体を升目状に配列して設けたものである。
【００１９】
そして、この構成では、光軸を中心とする四角形状であるとともに無反射光および反射光の配光パターンが四角形状である複数の制光体を升目状に配列して設けたため、四角形状の配光パターンが得られ、光軸方向に対向する表面全体から光が出射して明るくなり、外観が向上する。
【００２０】
請求項６記載の照明装置は、請求項１ないし４いずれか一記載の制光体と；制光体に配置した発光素子と；を具備したものである。
【００２１】
そして、この構成では、制光体に発光素子を配置して構成したため、輪郭の明確な配光パターンが得られ、グレアの防止にも有効で、必要な照明範囲内における光照射効率が向上する。
【００２２】
請求項７記載の照明装置は、請求項５記載の制光装置と；制光装置の各制光体に配置した複数の発光素子と；を具備しているものである。
【００２３】
そして、この構成では、制光装置の各制光体に各発光素子を配置して構成したため、輪郭の明確な配光パターンが得られ、グレアの防止にも有効で、必要な照明範囲内における光照射効率が向上し、しかも、光軸方向に対向する表面全体から光が出射して明るくなり、外観が向上する。
【００２４】
【発明の実施の形態】
以下、本発明の一実施の形態を図面を参照して説明する。
【００２５】
図１ないし図４に第１の実施の形態を示し、図１は照明装置の構造および配光パターンの説明図、図２は照明装置の正面図、図３は照明装置の断面図、図４は照明装置を用いた照明器具の正面図である。
【００２６】
図２および図３において、１１は照明装置で、この照明装置１１は、四角形であって本実施の形態では正方形で絶縁性材料にて形成された基板１２を有し、この基板１２の一面である表面側に図示しない導電性の配線パターンが形成され、この配線パターン上に発光素子として固定発光素子であるチップ状の発光ダイオード１３が縦横に等間隔に並んで複数個配列されてそれぞれ電気的かつ機械的に接続された状態に実装されている。発光ダイオード１３の発光色は、照明用として白色が用いられるが、他の単色の色や、複数色を用いてもよい。
【００２７】
基板１２の表面側には配光を制御する制光装置１５が配設され、この制光装置１５には各発光ダイオード１３がそれぞれ配置される制光体としての反射体１６が縦横に升目状に配列されて一体形成され、これら反射体１６全体で発光面１５ａが形成されている。制光装置１５は、例えば合成樹脂製で絶縁性を有し、外形が基板１２と同様に四角形であって本実施の形態では正方形に形成されている。制光装置１５の表面つまり各反射体１６の表面には例えばアルミ蒸着などの反射面処理が施されている。
【００２８】
反射体１６は、裏面側中央に発光ダイオード１３が挿通配置される四角形または円形の挿通孔１７を有し、この挿通孔１７の縁部から反射体１６の表面側に向けて反射面１８が拡開形成され、反射体１６の表面側における開口部１９の形状は四角形であって本実施の形態では正方形に形成されている。そのため、反射体１６の表面側の開口部１９の形状と制光装置１５の外形とは相似関係にある。反射面１８は反射体１６の開口縁の各辺に連続する４面で四角形状の配光パターンが得られるように構成され、反射面１８は曲面あるいは平面であってその曲率や拡散性が発光ダイオード１３の発光特性や照明装置１１の配光パターンに対応して形成されている。したがって、互いに隣接する反射体１６の開口縁の辺同士が線状の稜線２０で連続して形成され、この稜線２０が制光装置１５の表面側において同一表面上で升目状に形成されている。
【００２９】
基板１２の裏面側の中央には、各発光ダイオード１３に電力を供給する電源部２１が取り付けられている。この電源部２１は、絶縁性を有するボックス２２を有し、このボックス２２がボックス２２から突設された複数のねじ２３によって基板１２の裏面に対して離間して間隙２４を設けた状態で取り付けられている。各ねじ２３の先端は、基板１２を貫通し、絶縁物２５を介してナット２６が螺合されて基板１２に固定されている。ボックス２２内には、発光ダイオード１３を点灯させる電子回路２７を設けた電子回路基板２８が収納され、この電子回路基板２８とねじ２３との間に絶縁物２９が介在されている。基板１２と電子回路基板２８とは間隙２４を通じて配線される電線３０により接続され、電子回路基板２８には電源側からの電線３１が間隙２４を通じて接続されている。
【００３０】
図１には、反射体１６から発光ダイオード１３の光を無反射で出射させる直接光である無反射光Ｌ１と発光ダイオード１３の光を反射させて出射させる反射光Ｌ２との関係を示す。図１の縦軸は光を出射する光軸ｘ方向に対し交差する方向の位置を示し、横軸は光軸ｘ方向の位置を示し、各位置関係は相対的な数値で示す。
【００３１】
無反射光Ｌ１は、発光ダイオード１３の位置と反射体１６の反射面１８の開口縁つまり光軸ｘ方向の端部の位置とで定まる配光パターンＰ１の範囲内に出射し、光軸ｘを中心とする配光パターンＰ１の広がり角度はα１である。
【００３２】
反射光Ｌ２は、反射体１６の反射面１８の形状によって定まり、反射面１８で反射して反射体１６の前方の光軸ｘ上で一旦収束した後に広がる配光パターンＰ２の範囲内に出射し、光軸ｘを中心とする配光パターンＰ２の広がり角度はα２である。
【００３３】
そして、光軸ｘに対する無反射光Ｌ１の配光パターンＰ１の広がり角度α１と反射光Ｌ２の配光パターンＰ２との広がり角度α２とを略同一に設定している。そのため、無反射光Ｌ１の成分と反射光Ｌ２の成分とが略同一の照明範囲を照明するため、照明装置１１として照明範囲の輪郭の明確な配光パターンＰ１，Ｐ２を得ることができ、配光パターンＰ１，Ｐ２より広がる方向への光の出射を抑えてグレアの防止にも有効であり、必要な照明範囲内における光照射効率を向上できる。
【００３４】
また、制光装置１５の表面側に向けて拡開する複数の反射体１６を互いに隣接して配列するとともにこれら互いに隣接する反射体１６の表面側が稜線２０で連続して設けたため、制光装置１５の表面側に発光ダイオード１３の光の反射に寄与しない平面部分が生じず、制光装置１５による光反射効率を向上できるとともに、制光装置１５の表面全体を明るくして外観を向上できる。すなわち、反射体１６が光軸ｘを中心とする四角形状であるとともに無反射光Ｌ１および反射光Ｌ２の配光パターンＰ１，Ｐ２が四角形状であって、複数の反射体１６を升目状に配列して設けたため、四角形状の配光パターンＰ１，Ｐ２を得ることができ、光軸ｘ方向に対向する表面全体から光を出射させて明るくでき、外観を向上できる。
【００３５】
また、制光装置１５の外形と反射体１６の表面側の開口形状とが相似関係にあるため、配光パターンのイメージと実際の配光パターンＰ１，Ｐ２とを一致し易くできる。
【００３６】
また、図４に示すように、複数の照明装置１１を用いることによって照明器具４１が形成されている。この照明器具４１は、四角形であって本実施の形態では正方形で薄形に形成された器具本体４２を有し、この器具本体４２の表面に複数の照明装置１１が密着状態で縦横に並んで配列され、１つの一体形の発光面４３が形成されている。この照明器具４１の外形と反射体１６の表面側の開口形状とは相似関係にある。
【００３７】
そして、この照明器具４１によれば、光軸ｘに対する無反射光Ｌ１の配光パターンＰ１の広がり角度α１と反射光Ｌ２の配光パターンＰ２との広がり角度α２とを略同一に設定した照明装置１１を用いるため、無反射光Ｌ１の成分と反射光Ｌ２の成分とが略同一の照明範囲を照明するため、照明器具４１として照明範囲の輪郭の明確な配光パターンＰ１，Ｐ２を得ることができ、配光パターンＰ１，Ｐ２より広がる方向への光の出射を抑えてグレアの防止にも有効であり、必要な照明範囲内における光照射効率を向上できる。
【００３８】
また、発光ダイオード１３を光源としているために薄形器具にでき、しかも、制光装置１５の表面側に向けて拡開する複数の反射体１６を互いに隣接して配列するとともにこれら互いに隣接する反射体１６の表面側が稜線２０で連続した発光面４３を形成した照明装置１１を用いているため、制光装置１５の表面側に発光ダイオード１３の光の反射に寄与しない平面部分が生じず、制光装置１５による光反射効率を向上できるとともに、制光装置１５の表面全体つまり発光面４３全体を明るくして外観を向上できる。
【００３９】
照明器具４１の外形と制光装置１５の外形とが相似関係にあるため、配光パターンのイメージと実際の配光パターンとを一致し易くできる。
【００４０】
なお、照明器具４１は、天井面や壁面などに直付けしたり、スタンドに取り付けたり、吊下形にもできる。
【００４１】
また、反射体１６の開口形状は、正方形に限らず、長方形でも、あるいは六角形状でもよく、いずれの場合にも、制光装置１５の表面側に向けて拡開する複数の反射体１６を互いに隣接して配列できるとともにこれら互いに隣接する反射体１６の表面側が稜線２０で連続して設けることができ、同様の作用効果が得られる。
【００４２】
次に、図５に第２の実施の形態を示し、図５は照明装置の構造および配光パターンの説明図である。なお、第１の実施の形態と同様の構成については同一符号を用いてその説明を省略する。
【００４３】
制光装置１５における各反射体１６の反射面１８が、光軸ｘを中心として対称位置にある反射面１８ａ，１８ｂにおいて、一側の反射面１８ａで反射した反射光Ｌ２を光軸ｘに平行な方向から光軸ｘを交差して他側へ向かうとともに無反射光Ｌ１の広がり方向と略同一方向に向かう方向の間の範囲α２ａに反射させ、他側の反射面１８ｂで反射した反射光Ｌ２を光軸ｘに平行な方向から光軸ｘを交差して一側へ向かうとともに無反射光Ｌ１の広がり方向と略同一方向に向かう方向の間の範囲α２ｂに反射させる形状に形成されている。これら反射面１８ａ，１８ｂから範囲α２ａ，α２ｂに反射する反射光Ｌ２は配光パターンＰ２の範囲内に出射し、光軸ｘを中心とする配光パターンＰ２の広がり角度はα２となる。
【００４４】
無反射光Ｌ１は、発光ダイオード１３の位置と制光装置１５の反射面１８の開口縁つまり反射面１８の光軸ｘ方向の端部の位置とで定まる配光パターンＰ１の範囲内に出射し、光軸ｘを中心とする配光パターンＰ１の広がり角度はα１である。
【００４５】
光軸ｘに対する無反射光Ｌ１の配光パターンＰ１の広がり角度α１と反射光Ｌ２の配光パターンＰ２との広がり角度α２とは略同一に設定されている。
【００４６】
そして、この照明装置１１では、発光ダイオード１３の周囲に対向する反射面１８つまり反射面１８ａ，１８ｂで、発光ダイオード１３の光を光軸ｘに平行な方向から光軸ｘを交差して無反射光Ｌ１の広がり方向と略同一方向に向かう方向の間の範囲α２ａ，α２ｂに反射させるため、反射面１８を小形にできるとともに、反射面１８の開口部１９の開口寸法を小さくできる。そのため、制光装置１５を小型化でき、さらには照明装置１１並びに照明器具４１を小形にできる。
【００４７】
次に、図６に第３の実施の形態を示し、図６は照明装置の構造および配光パターンの説明図である。なお、前記実施の形態と同様の構成については同一符号を用いてその説明を省略する。図６の縦軸および横軸の数値は、各位置関係を相対的に表すための数値を示している。
【００４８】
制光装置１５には、プリズムである制光体５１が用いられる。この制光体５１は、導光性を有する透明な樹脂やガラスにて形成され、断面略三角形状で発光ダイオード１３の周囲に対向する環状に形成されたプリズム部５２を有している。このプリズム部５２には、発光ダイオード１３の周囲に対向し発光ダイオード１３の光が入射する入射面５３、この入射面５３から入射した光を全反射させる反射面５４、およびこの反射面５４で全反射した反射光Ｌ２を出射させる出射面５５が形成されており、入射面５３の角度を適切に設定することにより反射面５４にて全反射が得られる。出射面５５の中央には、発光ダイオード１３の直接光である無反射光Ｌ１を通過させて出射させる開口部５６が形成されている。
【００４９】
無反射光Ｌ１は、発光ダイオード１３の位置と制光体５１の入射面５３の開口縁つまり開口部５６の位置とで定まる配光パターンＰ１の範囲内に出射し、光軸ｘを中心とする配光パターンＰ１の広がり角度はα１である。
【００５０】
反射光Ｌ２は、光軸ｘを中心として対称位置にある反射面５４ａ，５４ｂにおいて、一側の反射面５４ａで反射した反射光Ｌ２を光軸ｘに平行な方向から光軸ｘを交差して他側へ向かうとともに無反射光Ｌ１の広がり方向と略同一方向に向かう方向の間の範囲α２ａに反射させ、他側の反射面５４ｂで反射した反射光Ｌ２を光軸ｘに平行な方向から光軸ｘを交差して一側へ向かうとともに無反射光Ｌ１の広がり方向と略同一方向に向かう方向の間の範囲α２ｂに反射させる形状に形成されている。これら反射面５４ａ，５４ｂから範囲α２ａ，α２ｂに反射する反射光Ｌ２は配光パターンＰ２の範囲内に出射し、光軸ｘを中心とする配光パターンＰ２の広がり角度はα２となる。
【００５１】
光軸ｘに対する無反射光Ｌ１の配光パターンＰ１の広がり角度α１と反射光Ｌ２の配光パターンＰ２との広がり角度α２とは略同一に設定されている。
【００５２】
また、図２および図３に示した複数の反射体１６を配列して制光装置１５を構成したように複数の制光体５１を升目状に配列して制光装置１５を構成でき、さらにこの制光装置１５を用いて図２および図３に示した照明装置１１や図４に示した照明器具４１を構成でき、上述した作用効果を得られる。
【００５３】
そして、この制光体５１は、発光ダイオード１３の光が入射する入射面５３、入射面５３から入射した光を全反射させる反射面５４、および反射面５４で全反射した反射光を出射させる出射面５５を有するため、反射面５４での反射率が高く、光照射効率を向上できる。さらに、制光体５１で反射面５４を形成することにより、反射面形成のためのアルミ蒸着などの処理を省略でき、反射面５４が汚損する可能性がないので、光反射効率の低下も抑制できる。
【００５４】
次に、図７に第４の実施の形態を示し、図７は照明装置の構造および配光パターンの説明図である。なお、前記実施の形態と同様の構成については同一符号を用いてその説明を省略する。図７の縦軸および横軸の数値は、各位置関係を相対的に表すための数値を示している。
【００５５】
制光装置１５には、プリズムである制光体６１が用いられる。この制光体６１は、導光性を有する透明な樹脂やガラスにて一体形成され、断面略三角形状で発光ダイオード１３の周囲に対向する環状に形成されたプリズム部６２を有している。このプリズム部６２には、発光ダイオード１３の周囲に対向し発光ダイオード１３の光が入射する入射面６３、この入射面６３から入射した光を全反射させる反射面６４、およびこの反射面６４で全反射した反射光Ｌ２を出射させる出射面６５が形成されており、入射面６３の角度を適切に設定することにより反射面６４にて全反射が得られる。プリズム部６２の出射面６５の中央には発光ダイオード１３の無反射光Ｌ１を透過させて出射させる透過部６６が一体に形成されている。出射面６５と透過部６６とは連続した平面状または曲面状に形成され、これら出射面６５および透過部６６で発光ダイオード１３の光が出射する発光面部６７が形成されている。制光体６１には入射面部６３と透過部６６とで囲まれるとともに発光面部６７と反対側に開口して凹部６８が形成され、この凹部６８に発光ダイオード１３が配置されている。
【００５６】
無反射光Ｌ１は、発光ダイオード１３の位置と制光体６１の入射面６３の透過部６６側の位置とで定まる配光パターンＰ１の範囲内に出射し、光軸ｘを中心とする配光パターンＰ１の広がり角度はα１である。
【００５７】
反射光Ｌ２は、光軸ｘを中心として対称位置にある反射面６４ａ，６４ｂにおいて、一側の反射面６４ａで反射した反射光Ｌ２を光軸ｘに平行な方向から光軸ｘを交差して他側へ向かうとともに無反射光Ｌ１の広がり方向と略同一方向に向かう方向の間の範囲α２ａに反射させ、他側の反射面６４ｂで反射した反射光Ｌ２を光軸ｘに平行な方向から光軸ｘを交差して一側へ向かうとともに無反射光Ｌ１の広がり方向と略同一方向に向かう方向の間の範囲α２ｂに反射させる形状に形成されている。これら反射面６４ａ，６４ｂから範囲α２ａ，α２ｂに反射する反射光Ｌ２は配光パターンＰ２の範囲内に出射し、光軸ｘを中心とする配光パターンＰ２の広がり角度はα２となる。
【００５８】
光軸ｘに対する無反射光Ｌ１の配光パターンＰ１の広がり角度α１と反射光Ｌ２の配光パターンＰ２との広がり角度α２とは略同一に設定されている。
【００５９】
また、図２および図３に示した複数の反射体１６を配列して制光装置１５を構成したように複数の制光体６１を升目状にむ配列して制光装置１５を構成でき、さらにこの制光装置１５を用いて図２および図３に示した照明装置１１や図４に示した照明器具４１を構成でき、上述した作用効果を得られる。
【００６０】
そして、この制光体６１は、発光ダイオード１３の光が入射する入射面６３、入射面６３から入射した光を全反射させる反射面６４、および反射面６４で全反射した反射光を出射させる出射面６５を設けたプリズム部６２を有するため、プリズム部６２の反射面６４での反射率が高く、光照射効率を向上できる。さらに、プリズム部６２で反射面６４を形成することにより、反射面形成のためのアルミ蒸着などの処理を省略でき、反射面６４が汚損する可能性がないので、光反射効率の低下も抑制できる。しかも、制光体６１は、発光ダイオード１３の光軸ｘ方向に対向し発光ダイオード１３からの無反射光Ｌ１を透過させて出射させる透過部６６を有し、プリズム部６２の出射面６５と透過部６６とが連続した面状であるため、容易に拭き清掃でき、保守性を向上できる。
【００６１】
次に、図８および図９に第５の実施の形態を示し、図８は照明装置の構造および配光パターンの説明図、図９は照明装置１１の斜視図である。なお、第４の実施の形態と同様の構成については同一符号を用いてその説明を省略する。
【００６２】
制光体６１のプリズム部６２の外形、並びにプリズム部６２と透過部６６とで連続した平面状または曲面状の発光面部６７が、光軸ｘを中心とする四角形であって本実施の形態では正方形に形成されている。
【００６３】
制光体６１の発光面部６７に対し反対側には反射面６４の端部から四角形枠状の縁部６９が突出形成され、この枠部６９の内側に凹部６８が開口形成されている。
【００６４】
光軸ｘに対する無反射光Ｌ１の配光パターンＰ１の広がり角度α１と反射光Ｌ２の配光パターンＰ２との広がり角度α２とは略同一の範囲内であるが、無反射光Ｌ１の配光パターンＰ１の広がり角度α１より反射光Ｌ２の配光パターンＰ２の広がり角度α２が少し小さく設定されている。
【００６５】
また、図２および図３に示した複数の反射体１６を配列して制光装置１５を構成したように複数の制光体６１を升目状に配列して制光装置１５を構成でき、さらにこの制光装置１５を用いて図２および図３に示した照明装置１１や図４に示した照明器具４１を構成でき、上述した作用効果を得られる。
【００６６】
そして、この制光体６１は、発光ダイオード１３の光が入射する入射面６３、入射面６３から入射した光を全反射させる反射面６４、および反射面６４で全反射した反射光を出射させる出射面６５を設けたプリズム部６２を有するため、プリズム部６２の反射面６４での反射率が高く、光照射効率を向上できる。さらに、プリズム部６２で反射面６４を形成することにより、反射面形成のためのアルミ蒸着などの処理を省略でき、反射面６４が汚損する可能性がないので、光反射効率の低下も抑制できる。しかも、制光体６１は、発光ダイオード１３の光軸ｘ方向に対向し発光ダイオード１３からの無反射光Ｌ１を透過させて出射させる透過部６６を有し、プリズム部６２の出射面６５と透過部６６とが連続した面状であるため、容易に拭き清掃でき、保守性を向上できる。
【００６７】
さらに、制光装置１１は、制光体６１が光軸ｘを中心とする四角形状であるとともに無反射光Ｌ１および反射光Ｌ２の配光パターンＰ１，Ｐ２が四角形状であって、複数の制光体６１を升目状に配列して設けたため、四角形状の配光パターンＰ１，Ｐ２を得ることができ、光軸ｘ方向に対向する表面全体から光を出射させて明るくでき、外観を向上できる。
【００６８】
なお、反射体１６、制光体５１および制光体６１の外形状は、正方形に限らず、長方形でも、あるいは六角形状でもよく、いずれの場合にも、反射体１６、制光体５１および制光体６１を連続して設けて照明装置１１を構成でき、同様の作用効果が得られる。
【００６９】
【発明の効果】
請求項１記載の制光体によれば、発光素子の光を光軸方向に無反射で出射させる無反射光の配光パターンの広がり角度と、発光素子の光を反射させて光軸方向に出射させる反射光の配光パターンの広がり角度とを略同一にしたため、輪郭の明確な配光パターンを得ることができ、グレアの防止にも有効で、必要な照明範囲内における光照射効率を向上できる。
【００７０】
請求項２記載の制光体によれば、請求項１記載の制光体の効果に加えて、発光素子の周囲に対向する反射面で、発光素子の光を光軸に平行な方向から光軸を交差して無反射光の広がり方向と略同一方向に向かう方向の間の範囲に反射させるため、反射面を小形にできる。
【００７１】
請求項３記載の制光体によれば、請求項１記載の制光体の効果に加えて、発光素子の光が入射する入射面、入射面から入射した光を全反射させる反射面、および反射面で全反射した反射光を光軸方向に出射させる出射面を有する環状のプリズム部を備えたため、例えばアルミ蒸着するなどの反射面形成工程が必要なく、容易に製造できる。
【００７２】
請求項４記載の制光体によれば、請求項１記載の制光体の効果に加えて、発光素子の光が入射する入射面、入射面から入射した光を全反射させる反射面、および反射面で全反射した反射光を光軸方向に出射させる出射面を有するプリズム部を備えたため、例えばアルミ蒸着するなどの反射面形成工程が必要なく、容易に製造でき、さらに、プリズム部の出射面の内側に連続した面状に、発光素子からの無反射光を透過させて光軸方向に出射させる透過部を設けたため、プリズム部の出射面および透過部を容易に清掃でき、保守性を向上できる。
【００７３】
請求項５記載の制光装置によれば、請求項１ないし４いずれか一記載の制光体が光軸を中心とする四角形状であるとともに無反射光および反射光の配光パターンが四角形状であって、複数の制光体を升目状に配列して設けたため、四角形状の配光パターンを得ることができ、光軸方向に対向する表面全体から光を出射させて明るくでき、外観を向上できる。
【００７４】
請求項６記載の照明装置によれば、請求項１ないし４いずれか一記載の制光体に発光素子を配置して構成したため、輪郭の明確な配光パターンを得ることができ、グレアの防止にも有効で、必要な照明範囲内における光照射効率を向上できる。
【００７５】
請求項７記載の照明装置によれば、請求項５記載の制光装置の各制光体に各発光素子を配置して構成したため、輪郭の明確な配光パターンを得ることができ、グレアの防止にも有効で、必要な照明範囲内における光照射効率を向上でき、しかも、光軸方向に対向する表面全体から光を出射させて明るくでき、外観を向上できる。
【図面の簡単な説明】
【図１】本発明の第１の実施の形態を示す照明装置の構造および配光パターンの説明図である。
【図２】同上照明装置の正面図である。
【図３】同上照明装置の断面図である。
【図４】同上照明装置を用いた照明器具の正面図である。
【図５】本発明の第２の実施の形態を示す照明装置の構造および配光パターンの説明図である。
【図６】本発明の第３の実施の形態を示す照明装置の構造および配光パターンの説明図である。
【図７】本発明の第４の実施の形態を示す照明装置の構造および配光パターンの説明図である。
【図８】本発明の第５の実施の形態を示す照明装置の構造および配光パターンの説明図である。
【図９】同上照明装置の斜視図である。
【符号の説明】
１１    照明装置
１３    発光素子としての発光ダイオード
１５    制光装置
１６    制光体としての反射体
１８ａ，１８ｂ    反射面
５１    制光体
５２    プリズム部
５３    入射面
５４    反射面
５５    出射面
５６    開口部
６１    制光体
６２    プリズム部
６３    入射面
６４    反射面
６５    出射面
６６    透過部
Ｌ１    無反射光
Ｌ２    反射光
Ｐ１，Ｐ２    配光パターン
ｘ    光軸
【図１】
2004253478.tif 000003
【図２】
2004253478.tif 000004
【図３】
2004253478.tif 000005
【図４】
2004253478.tif 000006
【図５】
2004253478.tif 000007
【図６】
2004253478.tif 000008
【図７】
2004253478.tif 000009
【図８】
2004253478.tif 000010
【図９】
2004253478.tif 000011